(57)【要約】      （修正有）【課題】全体としての緩みなく暖房機に取り付けることが可能な暖房機用保護ガードを提供する。【解決手段】暖房機の温風吹き出し口をガードする暖房機用保護ガード１００は、温風吹き出し口の前方に配置されるガード本体１１０と、ガード本体１１０に対して横方向にスライド可能であるようにガード本体１１０に連結されたアーム部材１２０と、からなる。ガード本体１１０は、横方向に延び、かつ、複数個の貫通孔１１３が形成されている第一取り付け板１１２を、アーム部材１２０は１個の貫通孔が形成されている第二取り付け板１２２を有している。第一取り付け板１１２の貫通孔１１３と第二取り付け板１２２の貫通孔を位置合わせした後、双方の貫通孔１１３にピン１１４を通すことにより、アーム部材１２０をガード本体１１０に対して強固に固定することができる。【選択図】図１
0003187243.tif 000002
【実用新案登録請求の範囲】
【請求項１】
前面から温風を吹き出す暖房機の温風吹き出し口をガードする暖房機用保護ガードであって、
前記温風吹き出し口の前方に配置されるガード本体と、
前記ガード本体に対して横方向にスライド可能であるように前記ガード本体に連結されたアーム部材と、
からなり、
前記ガード本体は前記暖房機の一方の側面に対して着脱自在に取り付けることが可能であり、
前記アーム部材は前記暖房機の他方の側面に対して着脱自在に取り付けることが可能であり、
前記ガード本体及び前記アーム部材の何れか一方は前記横方向に延び、かつ、複数個の貫通孔が形成されている第一取り付け板を有しており、
前記ガード本体及び前記アーム部材の他方は少なくとも１個の貫通孔が形成されている第二取り付け板を有しており、
前記第一取り付け板及び前記第二取り付け板は、前記アーム部材が前記ガード本体に対してスライドするときに、相互に相対する位置関係にあることを特徴とする暖房機用保護ガード。
【請求項２】
前記第一取り付け板の貫通孔及び前記第二取り付け板の貫通孔の何れか一方には雌ネジが形成されていることを特徴する請求項１に記載の暖房機用保護ガード。
【考案の詳細な説明】
【技術分野】
【０００１】
本考案は暖房機用保護ガードに関する。
【背景技術】
【０００２】
暖房機用保護ガードの一例として特開２００２−３１４１２号公報に記載されたものがある。
【０００３】
図５は同公報に記載された暖房機用保護ガードを暖房機に取り付けた状態の斜視図であり、図６は暖房機用保護ガードの分解斜視図である。
【０００４】
図５及び図６に示すように、暖房機用保護ガード１０は、暖房機１２の温風吹き出し口をガードするガード本体１８と、ガード本体１８に対して横方向にスライド可能であるようにガード本体１８に連結されている支持枠体２２と、を備えている。
【０００５】
ガード本体１８はその左端側に第一側面ガード３０を備えており、第一側面ガード３０は第一取り付け部１６を介して暖房機１２の左側面に固定される。また、支持枠体２２はその右端側に第二側面ガード４８を備えており、第二側面ガード４８は第二取り付け部２０を介して暖房機１２の右側面に固定される（図５参照）。
【０００６】
このように、ガード本体１８が暖房機１２の左側面に、支持枠体２２が暖房機１２の右側面にそれぞれ固定されることにより、暖房機用保護ガード１０が暖房機１２の前面に固定的に配置される。
【先行技術文献】
【特許文献】
【０００７】
【特許文献１】特開２００２−３１４１２号公報
【考案の開示】
【考案が解決しようとする課題】
【０００８】
上記の従来の暖房機用保護ガード１０においては、支持枠体２２はガード本体１８に対してスライド可能に連結されているだけであり、ガード本体１８に対して強固に固定されているわけではないので、ガード本体１８に対する支持枠体２２のガタや緩みは不可避的に発生していた。
【０００９】
支持枠体２２がガード本体１８に対してガタついたり、緩んだりすると、ガード本体１８及び支持枠体２２がそれぞれ第一取り付け部１６及び第二取り付け部２０を介して暖房機１２に固定されていたとしても、暖房機１２に対して暖房機用保護ガード１０が全体として緩んでしまうことは避けられない。
【００１０】
本考案はこのような従来の暖房機用保護ガード１０における問題点に鑑みてなされたものであり、全体としての緩みなく暖房機に取り付けることが可能な暖房機用保護ガードを提供することを目的とする。
【課題を解決するための手段】
【００１１】
上記の目的を達成するため、本考案は、前面から温風を吹き出す暖房機の温風吹き出し口をガードする暖房機用保護ガードであって、前記温風吹き出し口の前方に配置されるガード本体と、前記ガード本体に対して横方向にスライド可能であるように前記ガード本体に連結されたアーム部材と、からなり、前記ガード本体は前記暖房機の一方の側面に着脱自在に取り付けることが可能であり、前記アーム部材は前記暖房機の他方の側面に着脱自在に取り付けることが可能であり、前記ガード本体及び前記アーム部材の何れか一方は前記横方向に延び、かつ、複数個の貫通孔が形成されている第一取り付け板を有しており、前記ガード本体及び前記アーム部材の他方は少なくとも１個の貫通孔が形成されている第二取り付け板を有しており、前記第一取り付け板及び前記第二取り付け板は、前記アーム部材が前記ガード本体に対してスライドするときに、相互に相対する位置関係にあることを特徴とする暖房機用保護ガードを提供する。
【００１２】
前記第一取り付け板の貫通孔及び前記第二取り付け板の貫通孔の何れか一方には雌ネジが形成されていることが好ましい。
【考案の効果】
【００１３】
本考案に係る暖房機用保護ガードによれば、アーム部材をガード本体に対してスライドさせ、第二取り付け板の貫通孔を第一取り付け板の複数個の貫通孔の何れか一つに位置合わせした後、双方の貫通孔にピンを通すことにより、アーム部材をガード本体に対して完全に固定させることが可能である。その結果として、暖房機用保護ガードは全体としての緩みを生じることがなくなり、ガード本体とアーム部材とを介して暖房機を挟み込むようにして暖房機用保護ガードを暖房機に対して確実に固定することが可能である。
【図面の簡単な説明】
【００１４】
【図１】本考案の第一の実施形態に係る暖房機用保護ガードの斜視図である。
【図２】本考案の第一の実施形態に係る暖房機用保護ガードを上方から見た場合の平面図である。
【図３】本考案の第一の実施形態に係る暖房機用保護ガードを暖房機に取り付けた状態を示す斜視図である。
【図４】本考案の第一の実施形態に係る暖房機用保護ガードにおけるアーム部材を上方から見た場合の部分的な平面図である。
【図５】従来の暖房機用保護ガードを暖房機に取り付けた状態の斜視図である。
【図６】図５に示した従来の暖房機用保護ガードの分解斜視図である。
【考案を実施するための形態】
【００１５】
（第一の実施形態）
図１は本考案の第一の実施形態に係る暖房機用保護ガード１００の斜視図、図２は暖房機用保護ガード１００を上方から見た場合の平面図、図３は暖房機用保護ガード１００を暖房機に取り付けた状態を示す斜視図である。
【００１６】
図１及び図２に示すように、本実施形態に係る暖房機用保護ガード１００は、暖房機の前面にある温風吹き出し口の前方に配置されるガード本体１１０と、ガード本体１１０に対して横方向（図２の左右方向）にスライド可能であるようにガード本体１１０に連結されたアーム部材１２０と、から構成されている。
【００１７】
ガード本体１１０はその左端側に第一側面ガード１１１を備えており、図３に示すように、ガード本体１１０は第一側面ガード１１１を介して暖房機２００の左側面に固定される。また、アーム部材１２０はその右端側に第二側面ガード１２１を備えており、図３に示すように、アーム部材１２０は第二側面ガード１２１を介して暖房機２００の右側面に固定される。
【００１８】
図１及び図２に示すように、ガード本体１１０の背面側（暖房機２００に近い方の側）の上端及び下端にはそれぞれ第一取り付け板１１２が取り付けられている。
【００１９】
図２に示すように、第一取り付け板１１２はガード本体１１０の横方向（長さ方向）に延びており、複数個の貫通孔１１３が等間隔に形成されている。
【００２０】
図４はアーム部材１２０を上方から見た場合の部分的な平面図である。
【００２１】
図４に示すように、アーム部材１２０にはその端部（暖房機２００に取り付けられる端部とは反対側の端部）の上端側及び下端側の双方において第二取り付け板１２２が取り付けられている。
【００２２】
第二取り付け板１２２には１個の貫通孔１２３が形成されている。
【００２３】
第一取り付け板１１２と第二取り付け板１２２とは、アーム部材１２０がガード本体１１０に対してスライドするときに、アーム部材１２０の第二取り付け板１２２がガード本体１１０の第一取り付け板１１２の内側に沿ってスライドするような位置関係にある。すなわち、アーム部材１２０の上端側に取り付けられている第二取り付け板１２２はガード本体１１０の上端に取り付けられている第一取り付け板１１２の下面に沿って移動し、アーム部材１２０の下端側に取り付けられている第二取り付け板１２２はガード本体１１０の下端に取り付けられている第一取り付け板１１２の上面に沿って移動する。
【００２４】
このため、アーム部材１２０をガード本体１１０に対してスライドさせ、第二取り付け板１２２の貫通孔１２３を第一取り付け板１１２の貫通孔１１３の何れかに位置合わせした後、双方の貫通孔１１３、１２３にピン１１４（図１及び図２参照）を通すことにより、アーム部材１２０をガード本体１１０に対して固定させることができる。
【００２５】
アーム部材１２０をガード本体１１０に対して伸縮させる場合には、ピン１１４を外し、アーム部材１１０をガード本体１１０に対してスライドさせた後、位置合わせされた貫通孔１１３、１２３に再度ピン１１４を通す。これにより、ガード本体１１０に対するアーム部材１２０の伸長長さを調節することができる。
【００２６】
以上のように、本実施形態に係る暖房機用保護ガード１００によれば、アーム部材１２０をガード本体１１０に対してスライドさせ、第二取り付け板１２２の貫通孔１２３を第一取り付け板１１２の貫通孔１１３の何れかに位置合わせした後、双方の貫通孔１１３、１２３にピン１１４を通すことにより、アーム部材１２０をガード本体１１０に対して強固に固定させることが可能である。
【００２７】
このように、アーム部材１２０をガード本体１１０に対して強固に固定することができる結果として、暖房機用保護ガード１００は全体としての緩みを生じることがなくなり、ガード本体１１０とアーム部材１２０とを介して暖房機２００を挟み込むようにして暖房機用保護ガード１００を暖房機２００に対して確実に固定することが可能である。
【００２８】
本実施形態に係る暖房機用保護ガード１００は上記の構造に限定されるものではなく、種々の改変を施すことが可能である。
【００２９】
例えば、本実施形態に係る暖房機用保護ガード１００においては、ガード本体１１０に第一取り付け板１１２が取り付けられ、アーム部材１２０に第二取り付け板１２２が取り付けられているが、ガード本体１１０に第二取り付け板１２２を、アーム部材１２０に第一取り付け板１１２をそれぞれ取り付けることも可能である。
【００３０】
また、第二取り付け板１２２には１個の貫通孔１２３が形成されているが、第二取り付け板１２２の全長を伸ばし、複数個の貫通孔１２３を形成することも可能である。
【００３１】
さらに、ガード本体１１０には上端及び下端に第一取り付け板１１２が取り付けられているが、上端及び下端の何れか一方にのみ第一取り付け板１１２を取り付けることも可能である。
【００３２】
（第二の実施形態）
上述の第一の実施形態に係る暖房機用保護ガード１００においては、第一取り付け板１１２の貫通孔１１３と第二取り付け板１２２の貫通孔１２３とをピン１１４で連結するものとしたが、例えば、第二取り付け板１２２の貫通孔１２３に雌ネジを形成し、第一取り付け板１１２と第二取り付け板１２２とを雄ネジを介して相互に連結することも可能である。
【符号の説明】
【００３３】
１００  本考案の第一の実施形態に係る暖房機用保護ガード
１１０  ガード本体
１１１  第一側面ガード
１１２  第一取り付け板
１１３  貫通孔
１１４  ピン
１２０  アーム部材
１２１  第二側面ガード
１２２  第二取り付け板
１２３  貫通孔
【図１】
0003187243.tif 000003
【図２】
0003187243.tif 000004
【図３】
0003187243.tif 000005
【図４】
0003187243.tif 000006
【図５】
0003187243.tif 000007
【図６】
0003187243.tif 000008